(57)【特許請求の範囲】
【請求項１】
第１及び第２のＲＡＮ（Radio Access Network）の間でのセル再選択の際に利用されるＩＳＲ（Idle mode Signalling Reduction）機能を有する制御部を備え、
前記制御部は、ＩＳＲが活性化されているときに音声サービス設定情報が変更された場合、前記ＩＳＲを非活性化する、
移動局。
【請求項２】
前記ＩＳＲの非活性化は、ＴＩＮ（Temporary Identity used in Next update）をＧＵＴＩ（Globally Unique Temporary Identity）又はＰ−ＴＭＳＩ（Packet-Temporary Mobile Subscriber Identity）に設定することを含む、請求項１に記載の移動局。
【請求項３】
第１及び第２のＲＡＮ（Radio Access Network）間でのセル再選択の際に利用されるＩＳＲ（Idle mode Signalling Reduction）をサポートする移動局の制御方法であって、
前記ＩＳＲが活性化されているときに音声サービス設定情報が変更された場合、前記移動局において前記ＩＳＲを非活性化すること、
を備える方法。
【請求項４】
前記ＩＳＲの非活性化は、ＴＩＮ（Temporary Identity used in Next update）をＧＵＴＩ（Globally Unique Temporary Identity）又はＰ−ＴＭＳＩ（Packet-Temporary Mobile Subscriber Identity）に設定することを含む、請求項３に記載の方法。
【請求項５】
第１のＲＡＮ（Radio Access Network）に対応する第１の移動管理部と、
第２のＲＡＮ（Radio Access Network）に対応する第２の移動管理部と、
前記第１及び第２のＲＡＮ間でのセル再選択の際に利用されるＩＳＲ（Idle mode Signalling Reduction）をサポートする移動局と、
を備え、
前記移動局は、前記ＩＳＲが活性化されているときに音声サービス設定情報が変更された場合、前記ＩＳＲを非活性化するよう構成されている、
移動通信システム。
【請求項６】
前記ＩＳＲの非活性化は、ＴＩＮ（Temporary Identity used in Next update）をＧＵＴＩ（Globally Unique Temporary Identity）又はＰ−ＴＭＳＩ（Packet-Temporary Mobile Subscriber Identity）に設定することを含む、請求項５に記載の移動通信システム。
【請求項７】
第１及び第２のＲＡＮ（Radio Access Network）間でのセル再選択の際に利用されるＩＳＲ（Idle mode Signalling Reduction）をサポートする移動局を管理する移動管理装置であって、
前記ＩＳＲが活性化されているときに、音声サービス設定情報の変更を示す位置登録リクエストを前記移動局から受信したことに応じて、前記ＩＳＲの非活性化を示す位置登録応答を前記移動局に送信するＩＳＲ制御部を備える、
移動管理装置。
【請求項８】
前記ＩＳＲの非活性化は、ＴＩＮ（Temporary Identity used in Next update）をＧＵＴＩ（Globally Unique Temporary Identity）又はＰ−ＴＭＳＩ（Packet-Temporary Mobile Subscriber Identity）に設定することを含む、請求項７に記載の移動管理装置。
【請求項９】
移動局の制御方法をコンピュータに行わせるためのプログラムであって、
前記移動局は、第１及び第２のＲＡＮ（Radio Access Network）間でのセル再選択の際に利用されるＩＳＲ（Idle mode Signalling Reduction）をサポートし、
前記制御方法は、前記ＩＳＲが活性化されているときに音声サービス設定情報が変更された場合、前記移動局において前記ＩＳＲを非活性化することを備える、
プログラム。
【請求項１０】
前記ＩＳＲの非活性化は、ＴＩＮ（Temporary Identity used in Next update）をＧＵＴＩ（Globally Unique Temporary Identity）又はＰ−ＴＭＳＩ（Packet-Temporary Mobile Subscriber Identity）に設定することを含む、請求項９に記載のプログラム。
【発明の詳細な説明】
【技術分野】
【０００１】
本発明は、移動局の位置登録処理に関する。
【背景技術】
【０００２】
３ＧＰＰ（3rd Generation Partnership Project）仕様書は、移動局が異種ＲＡＴ（Radio Access Technology）により提供される異種ＲＡＮ（Radio Access Network）の間で再選択を行う際の位置登録処理を削減するための機能を規定している。この機能は、ＩＳＲ（Idle mode Signalling Reduction）と呼ばれる。
【０００３】
ＲＡＮは、複数のセル又はセクタに分割された地理的エリアをカバーする。各セル又はセクタは、基地局によって提供される。ＲＡＮの具体例は、ＵＴＲＡＮ（Universal Terrestrial Radio Access Network）、ＧＥＲＡＮ（GSM EDGE Radio Access Network）、及びＥ−ＵＴＲＡＮ（Evolved Universal Terrestrial Radio Access Network）を含む。基地局は、例えば、ＮｏｄｅＢ、ＢＴＳ（Base Transceiver Station）、又はｅＮｏｄｅＢと呼ばれる。また、移動局は、例えば、ＵＥ（User Equipment）、ＭＳ（Mobile Station）と呼ばれる。
【０００４】
ＲＡＴの用語は、ＲＡＮと同義で用いられる場合もあるが、一般的には、ＲＡＮだけではなく、コアネットワークに配置された移動管理ノード又はエンティティをも含む概念である。ＲＡＴの具体例は、ＵＴＲＡ（Universal Terrestrial Radio Access）、及びＥ−ＵＴＲＡ（Evolved Universal Terrestrial Radio Access）を含む。Ｅ−ＵＴＲＡは、ＬＴＥ（Long Term Evolution）と呼ばれることもある。ＵＴＲＡにおける移動管理ノード又はエンティティは、ＳＧＳＮ（Serving GPRS Support Node）である。また、Ｅ−ＵＴＲＡにおける移動管理ノード又はエンティティは、ＭＭＥ（Mobility Management Entity）である。
【０００５】
ＩＳＲは、典型的には、アイドル状態の移動局が異種ＲＡＴ間でのセル再選択を行う際に、位置登録処理のシグナリングを削減できる。アイドル状態（又はアイドルモード）は、一般的に以下の状態を意味する。つまり、アイドル状態では、移動局がコアネットワークにアタッチしており、移動局及び移動管理ノード（又はエンティティ）の双方がＭＭコンテキスト（又はＭＭパラメータ）を保持している。しかしながら、移動局と移動管理ノードの間でＮＡＳ（Non Access Stratum）メッセージの送受信は行われておらず、ＲＡＮ内における移動局に対する個別の無線リソースも確保されていない。コアネットワークは、位置登録エリアの単位で移動局の位置を把握している。位置登録エリアは、ＵＴＲＡではＲＡ（Routing Area）と呼ばれ、Ｅ−ＵＴＲＡではＴＡ（Tracking Area）と呼ばれる。なお、Ｅ−ＵＴＲＡでは移動局は複数のＴＡに帰属できる。この場合、移動管理ノード（つまりＭＭＥ）は、ＴＡリストの単位で移動局の位置を把握している。ＴＡリストは、複数のＴＡ（ＴＡｓ）を含むことができる。アイドル状態の具体例は、Ｅ−ＵＴＲＡＮのＥＣＭ（EPS Connection Management）−ＩＤＬＥ状態、ＵＴＲＡＮのＰＭＭ（Packet Mobility Management）−ＩＤＬＥ状態、及びＧＥＲＡＮのＧＰＲＳ−ＳＴＡＮＤＢＹ状態を含む。また、アイドル状態の具体例は、Ｅ−ＵＴＲＡＮにおけるＲＲＣ＿ＩＤＬＥ状態、ＵＴＲＡＮにおけるＣＥＬＬ＿ＰＣＨ状態及びＵＲＡ＿ＰＣＨ状態、並びにＧＥＲＡＮにおけるＰａｃｋｅｔ Ｉｄｌｅ状態のうち少なくとも１つを含んでもよい。
【０００６】
移動局が、異種ＲＡＮ間、例えばＥ−ＵＴＲＡＮとＧＥＲＡＮ／ＵＴＲＡＮの間で頻繁に再選択を行うと、そのたびに位置登録処理を起動することになってしまう。位置登録処理は、位置更新処理と呼ばれる場合もある。Ｅ−ＵＴＲＡＮの位置登録処理は、ＴＡＵ（Tracking Area Update）である。ＧＥＲＡＮ／ＵＴＲＡＮの位置登録処理は、ＲＡＵ（Routing Area Update）である。位置登録処理は、移動局とコアネットワークに配置された移動管理ノードの間のシグナリング、及びコアネットワーク内のシグナリングを伴う。コアネットワーク内のシグナリングは、例えば、移動管理ノードと加入者サーバ（e.g. ＨＳＳ（Home Subscriber Server）、ＨＬＲ（Home Location Register））のシグナリングである。したがって、頻繁な位置登録処理は、ネットワークの負荷増大を招く。
【０００７】
ＩＳＲは、このような異種ＲＡＮ（Radio Access Network）の間で再選択に起因する位置登録処理を削減することを目的としている。現在、３ＧＰＰは、Ｅ−ＵＴＲＡＮとＧＥＲＡＮ／ＵＴＲＡＮの間での移動局による再選択に関してＩＳＲを規定している。ＩＳＲが活性化（activate）されているとき、移動局は、２つのＲＡＮ（又はＲＡＴ）に対応する２つの移動管理ノード（又はエンティティ）の両方に登録される。具体的には、移動局は、ＭＭＥ及びＳＧＳＮの両方に登録される。また、移動局は、ＳＧＳＮから受信したＭＭ（Mobility Management）コンテキストと、ＭＭＥから受信したＭＭコンテキストの両方を保持している。ＳＧＳＮからのＭＭコンテキストは、例えば、Ｐ−ＴＭＳＩ（Packet-Temporary Mobile Subscriber Identity）及びＲＡＩ（Routing Area Identity）を含む。Ｐ−ＴＭＳＩは、ＳＧＳＮによって移動局に割り当てられる一時的な識別子である。ＭＭＥからのＭＭコンテキストは、例えば、ＧＵＴＩ（Globally Unique Temporary Identity）及びＴＡＩ（Tracking Area Identity）を含む。ＧＵＴＩは、ＭＭＥによって移動局に割り当てられる一時的な識別子である。ＩＳＲが活性化されている場合、移動局は、ネットワークに登録されている２つの位置登録エリア（i.e. ＲＡとＴＡ（ｓ））の外に出ない限り、位置登録処理（i.e. ＲＡＵ、ＴＡＵ）を行うことなく２つのＲＡＮ（i.e. ＧＥＲＡＮ／ＵＴＲＡＮ、Ｅ−ＵＴＲＡＮ）の間で再選択を行うことができる。
【０００８】
ＩＳＲは、例えば以下の手順で活性化される。始めに、移動局が２つのＲＡＮのいずれかを介して、ここではＧＥＲＡＮ／ＵＴＲＡＮ又はＥ−ＵＴＲＡＮのいずれかを介して初期アタッチを行う。ここでは、Ｅ−ＵＴＲＡＮを介して初期アタッチを行う場合を考える。初期アタッチにおいて移動局とＭＭＥの間で位置登録処理が行われ、移動局はＭＭＥに登録される。移動局は、ＥＣＭ−ＩＤＬＥ状態になる。
【０００９】
次に、移動局が最初にＧＥＲＡＮ／ＵＴＲＡＮを再選択する場合、移動局は位置登録処理（つまりＲＡＵ）を開始する。つまり、移動局は、ＲＡＵリクエストをＳＧＳＮに送信する。このＲＡＵリクエストは、ＧＵＴＩがマップされたＰ−ＴＭＳＩを含む。ＳＧＳＮは、受信したＧＵＴＩから特定されるＭＭＥに対してコンテキスト要求を送信する。これにより、ＳＧＳＮは、自身が管理する移動局のＭＭコンテキスト（e.g. Ｐ−ＴＭＳＩ、ＲＡ）をＭＭＥに送信し、ＭＭＥからＭＭコンテキスト（e.g. ＧＵＴＩ、ＴＡ（ｓ））を受信する。そして、ＳＧＳＮは、ＲＡＵアクセプトを送信する。このＲＡＵアクセプトは、ＭＭコンテキスト（e.g. Ｐ−ＴＭＳＩ、ＲＡ）を運ぶとともに、"ＩＳＲ活性化"を示す。
【００１０】
ＩＳＲ活性化"を示すＲＡＵアクセプトを受信した移動局は、自身においてＩＳＲを活性化する。具体的には、移動局は、ＴＩＮ（Temporary Identity used in Next update）を"RAT-related TMSI"にセットする。ＴＩＮは、移動局が保持するＭＭコンテキストの１つである。ＴＩＮは、移動局が次の位置登録処理、つまり、ＲＡＵリクエスト、ＴＡＵリクエスト、又はアタッチ・リクエスト、に提示するべき移動局の識別子を定義する。ＴＩＮが"RAT-related TMSI"にセットされることによって、移動局のＩＳＲ動作が開始される。
【００１１】
ＩＳＲの概要については、例えば、非特許文献１（3GPP TS 23.401）の§4.3.5.6 "Idle mode signalling reduction function", 及びAnnex J "High Level ISR description"を参照するとよい。また、ＩＳＲについては、非特許文献２（3GPP TS 24.301）及び非特許文献３（3GPP TS 24.008）にも記載されている。
【００１２】
また、３ＧＰＰ仕様書は、Ｅ−ＵＴＲＡの移動局に音声サービスを提供するために、CS Fallback、IMS Voice（Voice over IP）等の複数の手法を規定している。これに関連して、ネットワーク（e.g. ＭＭＥ）は、音声サービスをサポートする移動局がセルを選択する際に、どのＲＡＮ（又はＲＡＴ）を優先させるかを指定することができる。優先されるＲＡＮ（又はＲＡＴ）を決定するための指標として、例えば、移動局からネットワークに送られる"UE's usage setting"及び"Voice domain preference for E-UTRAN"を利用することができる。"UE's usage setting"及び"Voice domain preference for E-UTRAN"は、移動局に保持されており、ＴＡＵリクエスト、ＲＡＵリクエスト、及びアタッチ・リクエストによって移動管理ノード（i.e. ＭＭＥ、ＳＧＳＮ）に送られる。
【００１３】
"UE's usage setting"は、移動局が"音声重視（voice centric）"として振る舞うか、"データ重視（data centric）"として振る舞うかを示す。"Voice domain preference for E-UTRAN"は、移動局が、ＣＳ（Circuit Switched）音声とＰＳ（Packet Switched）音声のどちらに対応しているか、及びどちらを優先しているかを示す。具体的には、"Voice domain preference for E-UTRAN"は、"CS Voice only"、"CS Voice preferred and IMS PS Voice as secondary"、"IMS PS Voice preferred and CS Voice as secondary"、又は"IMS PS Voice only"のいずれとして構成されているかを示す。
【００１４】
"UE's usage setting"及び"Voice domain preference for E-UTRAN"の概要については、例えば、非特許文献１（3GPP TS 23.401）の§4.3.5.9 "Voice domain preference and UE's usage setting"、及び§4.3.6 "Radio Resource Management functions" を参照するとよい。また、"UE's usage setting"及び"Voice domain preference for E-UTRAN"については、非特許文献２（3GPP TS 24.301）の§3.1 "Definitions"、 §4.3 "UE mode of operation"、 §5.5.3.2.2 "Normal and periodic tracking area updating procedure initiation"、 及び§5.5.3.3.2 "Combined tracking area updating procedure initiation"等にも記載されている。また、非特許文献３（3GPP TS 24.008）の§4.7.5.1 "Normal and periodic routing area updating procedure"、及び §4.7.5.2.1 "Combined routing area updating procedure initiation"等にも記載されている。
【００１５】
本明細書では、上述の"UE's usage setting"及び"Voice domain preference for E-UTRAN"のように、移動局に保持された音声サービスの優先度に関する情報であり、移動局からネットワークに送信され、音声サービス提供のためのＲＡＮ（又はＲＡＴ）選択の指標としてネットワークにおいて利用される情報を「音声サービス設定情報」と定義する。
【先行技術文献】
【非特許文献】
【００１６】
【非特許文献１】3GPP TS 23.401 V11.0.0 (2011-12), "General Packet Radio Service (GPRS) enhancements for Evolved Universal Terrestrial Radio Access Network (E-UTRAN) access" , 3GPP（3rd Generation Partnership Project）, 2011年12月
【非特許文献２】3GPP TS 24.301 V11.1.0 (2011-12), "Non-Access-Stratum (NAS) protocol for Evolved Packet System (EPS); Stage 3", 3GPP（3rd Generation Partnership Project）, 2011年12月
【非特許文献３】3GPP TS 24.008 V11.1.2 (2012-01) , "Mobile radio interface Layer 3 specification; Core network protocols; Stage 3", 3GPP（3rd Generation Partnership Project）, 2012年1月
【発明の概要】
【発明が解決しようとする課題】
【００１７】
上述した"UE's usage setting"及び"Voice domain preference for E-UTRAN"のような音声サービス設定情報が移動局において更新されると、移動局は、現在選択しているＲＡＮに対応する移動管理ノード（e.g. ＭＭＥ又はＳＧＳＮ）との間で位置登録処理を行うことによって、音声サービス設定情報の更新を当該移動管理ノードに通知する。具体的に述べると、移動局は、音声サービス設定情報の更新を示すＴＡＵリクエスト又はＲＡＵリクエストを送信する。これにより、現在選択しているＲＡＮに対応する移動管理ノードは、音声サービス設定情報の更新を認識することができる。
【００１８】
しかしながら、上述した"UE's usage setting"及び"Voice domain preference for E-UTRAN"のような音声サービス設定情報の移動局における更新は、ＩＳＲの非活性化の契機とされていない。したがって、ＩＳＲが活性化されている場合、移動局は、音声サービス設定情報の更新後に行われるＲＡＮの再選択の際には位置登録処理を実行しない。このため、再選択後のＲＡＮに対応する移動管理ノードは、音声サービス設定情報の更新を認識ことができない。このことは、再選択後のＲＡＮにおいて、移動局の想定に反したＲＡＮ（又はＲＡＴ）の選択が引き起こされるおそれがあることを意味する。例えば、移動局は、更新後の音声サービス設定情報から想定される優先度に反して、元のＲＡＮに移動することを強制されることが考えられる。
【００１９】
つまり、ＩＳＲが活性化されているときに移動局が保持している音声サービス設定情報が更新された場合、ＩＳＲを活性化している複数の移動管理ノード（e.g. ＭＭＥ及びＳＧＳＮ）の間で音声サービス設定情報の内容に不一致を生じるという問題がある。
【００２０】
本発明は、本件発明者による上述の知見に基づいてなされたものであり、上述した音声サービス設定情報の不一致問題の解消に寄与することが可能な移動局、移動局の制御方法、移動通信システム、移動管理装置、及びプログラムの提供を目的とする。
【課題を解決するための手段】
【００２１】
第１の態様は、移動局を含む。当該移動局は通信制御部を有する。前記通信制御部は、第１及び第２のＲＡＮ（Radio Access Network）にそれぞれ対応する第１及び第２の移動管理部との間で位置登録処理を行うことができ、前記移動局による前記第１及び第２のＲＡＮ間での再選択に伴う位置登録処理を削減するためのＩＳＲ（Idle mode Signalling Reduction）をサポートする。さらに前記通信制御部は、前記ＩＳＲが活性化されているときに前記移動局が保持している音声サービス設定情報が更新された場合、前記移動局において前記ＩＳＲを非活性化する。
【００２２】
第２の態様は、第１及び第２のＲＡＮ（Radio Access Network）にそれぞれ対応する第１及び第２の移動管理部に共に登録されることができ、前記第１及び第２のＲＡＮ間での再選択に伴う位置登録処理を削減するためのＩＳＲ（Idle mode Signalling Reduction）をサポートする移動局の制御方法を含む。当該方法は、前記ＩＳＲが活性化されているときに前記移動局が保持している音声サービス設定情報が更新された場合、前記移動局において前記ＩＳＲを非活性化することを含む。
【００２３】
第３の態様は、移動通信システムを含む。当該移動通信システムは、第１及び第２のＲＡＮにそれぞれ対応する第１及び第２の移動管理部、並びに移動局を含む。前記移動局は、前記第１及び第２の移動管理部との間で位置登録処理を行うことができ、前記移動局による前記第１及び第２のＲＡＮ間での再選択に伴う位置登録処理を削減するためのＩＳＲ（Idle mode Signalling Reduction）をサポートする。さらに前記移動局は、前記ＩＳＲが活性化されているときに前記移動局が保持している音声サービス設定情報が更新された場合、前記移動局において前記ＩＳＲを非活性化するよう構成されている。
【００２４】
第４の態様は、移動管理装置を含む。当該移動管理装置は、移動局による第１及び第２のＲＡＮ間での再選択に伴う位置登録処理を削減するためのＩＳＲ（Idle mode Signalling Reduction）をサポートする。さらに、当該移動管理装置は、前記ＩＳＲが活性化されているときに、前記移動局に保持されている音声サービス設定情報の更新を示す位置登録リクエストを前記移動局から受信したことに応じて、前記ＩＳＲの非活性化を示す位置登録応答を前記移動局に送信するＩＳＲ制御部を有する。
【００２５】
第５の態様は、上述した第２の態様に係る方法をコンピュータに行わせるためのプログラムを含む。
【発明の効果】
【００２６】
上述した各態様によれば、上述した音声サービス設定情報の不一致問題の解消に寄与することが可能な移動局、移動局の制御方法、移動通信システム、移動管理装置、及びプログラムを提供できる。
【図面の簡単な説明】
【００２７】
【図１】実施の形態１に係る移動通信システムの構成例を示す図である。
【図２】実施の形態１に係る移動局の構成例を示すブロック図である。
【図３】実施の形態１におけるＩＳＲ活性化時における音声サービス設定情報ＶＳＣの更新と位置登録処理の関係を示すシーケンス図である。
【図４】ＩＳＲ活性化時における音声サービス設定情報ＶＳＣの更新と位置登録処理の関係を示す比較例のシーケンス図である。
【図５】実施の形態２におけるＩＳＲ活性化時における音声サービス設定情報ＶＳＣの更新と位置登録処理の関係を示すシーケンス図である。
【図６】実施の形態２に係るＳＧＳＮの構成例を示すブロック図である。
【図７】実施の形態２に係るＳＧＳＮのＲＡＵリクエスト受信時の動作例を示すフローチャートである。
【図８】実施の形態３におけるＩＳＲ活性化時における音声サービス設定情報ＶＳＣの更新と位置登録処理の関係を示すシーケンス図である。
【発明を実施するための形態】
【００２８】
以下では、本発明を適用した具体的な実施の形態について、図面を参照しながら詳細に説明する。各図面において、同一又は対応する要素には同一の符号が付されており、説明の明確化のため、必要に応じて重複説明は省略される。
【００２９】
＜実施の形態１＞
図１は、本実施の形態に係る移動通信システムの構成例を示している。本実施の形態では、３ＧＰＰのＵＭＴＳ及びＥＰＳ（Evolved Packet System）の統合システムに関して説明する。つまり、本実施の形態に係る移動通信システムは、複数の異種ＲＡＮ（i.e.Ｅ−ＵＴＲＡＮ２１、及びＧＥＲＡＮ／ＵＴＲＡＮ２２）を提供するとともに、上述したＩＳＲ（Idle mode Signalling Reduction）をサポートする。
【００３０】
図１の例では、移動通信システムは、コアネットワーク３及び移動局１を含む。コアネットワーク３は、ＭＭＥ３１及びＳＧＳＮ３２を含む。ＭＭＥ３１は、Ｅ−ＵＴＲＡＮ２１に対応する移動管理ノード（又はエンティティ）である。ＳＧＳＮ３２は、ＧＥＲＡＮ／ＵＴＲＡＮ２２に対応する移動管理ノード（又はエンティティ）である。なお、本実施の形態では、主にコントロールプレーンの機能、具体的には移動局１の移動管理及びＩＳＲ、について説明する。したがって、図１のＳＧＳＮ３２は、コントロールプレーン機能のみを含んでもよい。ＭＭＥ３１及びＳＧＳＮ３２は、共にＩＳＲをサポートしており、移動局１から受信した音声サービス設定情報を含む移動局１に関するコンテキストを互いに送受信することによって互いのコンテキストを同期させることができる。このコンテキストの送受信のためのシグナリングは、ＭＭＥ３１及びＳＧＳＮ３２との間で利用可能なインタフェース（i.e. Ｓ３インタフェース）を用いて行えばよい。
【００３１】
音声サービス設定情報は、既に定義した通り、移動局１に保持された音声サービスの優先度に関する情報であり、移動局１からコアネットワーク３に送信され、音声サービス提供のためのＲＡＮ（又はＲＡＴ）選択の指標としてコアネットワーク３において利用される情報である。音声サービス設定情報は、例えば、上述した"UE's usage setting"及び"Voice domain preference for E-UTRAN"の少なくとも一方を含む。
【００３２】
なお、図１には記載していないが、コアネットワーク３は、当然に、ユーザープレーンの転送ノード（又はエンティティ）を含んでもよい。転送ノード（又はエンティティ）は、ユーザーデータの転送処理（e.g. ルーティング及びフォワーディング）を行う。コアネットワーク３は、複数の転送ノード（又はエンティティ）を含んでもよい。例えば、ＥＰＳの場合、転送ノード（又はエンティティ）は、Ｓ−ＧＷ（Serving Gateway）及びＰ−ＧＷ（Packet Data Network Gateway）を含む。また、ＵＭＴＳの場合、転送ノード（又はエンティティ）は、ＳＧＳＮのユーザープレーン機能、及びＧＧＳＮ（Gateway GPRS Support Node）のユーザープレーン機能を含む。つまり、コアネットワーク３は、ＬＴＥに対応するＥＰＣ（Evolved Packet Core）及びＵＭＴＳのＧＰＲＳ（General Packet Radio Service）パケットコアを含んでもよい。
【００３３】
移動局１は、複数のＲＡＴ、ここではＥ−ＵＴＲＡ及びＵＴＲＡをサポートするデュアルモード端末である。言い換えると、移動局１は、ＬＴＥ無線アクセスによるＥ−ＵＴＲＡＮ２１への接続と、２Ｇ／３Ｇ無線アクセスによるＧＥＲＡＮ／ＵＴＲＡＮ２２への接続の両方を行うことができる。アイドル状態（e.g. ＥＣＭ−ＩＤＬＥ状態、ＰＭＭ−ＩＤＬＥ状態、又はＧＰＲＳ−ＳＴＡＮＤＢＹ状態）の移動局１は、Ｅ−ＵＴＲＡＮ２１とＧＥＲＡＮ／ＵＴＲＡＮ２２の間で再選択（セル再選択）を行うことができる。移動局１は、Ｅ−ＵＴＲＡＮ２１を選択したときに位置登録処理としてのＴＡＵを実施する。また、移動局１は、ＧＥＲＡＮ／ＵＴＲＡＮ２２を選択したときに位置登録処理としてのＲＡＵを実施する。ＴＡＵは、移動局１からＭＭＥ３１へのＴＡＵリクエストの送信、及びＭＭＥ３１から移動局１へのＴＡＵアクセプトの送信を含む。また、ＲＡＵは、移動局１からＳＧＳＮ３２へのＲＡＵリクエストの送信、及びＳＧＳＮ３２から移動局１へのＲＡＵアクセプトの送信を含む。
【００３４】
移動局１は、これらの位置登録処理に関するシグナリングを削減するためのＩＳＲをサポートする。つまり、移動局１は、ＭＭＥ３１及びＳＧＳＮ３２の両方に登録された後にＩＳＲが活性化された場合、登録されている２つの位置登録エリア（i.e. ＲＡとＴＡ（ｓ））の外に出ない限り、位置登録処理（i.e. ＲＡＵ、ＴＡＵ）を行うことなく２つのＲＡＮ（i.e. Ｅ−ＵＴＲＡＮ２１及びＧＥＲＡＮ／ＵＴＲＡＮ２２）の間で再選択を行うことができる。
【００３５】
ただし、本実施の形態１に係る移動局１は、ＩＳＲが活性化されているときに移動局１が保持している音声サービス設定情報が更新された場合に、移動局１においてＩＳＲを非活性化できるよう構成されている。この移動局１におけるＩＳＲ非活性化は、移動局１における局所的なＩＳＲ非活性化であってもよい。つまり、移動局１は、ネットワーク（i.e. ＭＭＥ３１及びＳＧＳＮ３２）からの指示に依存せずに、ネットワークからの指示がＩＳＲ活性化であっても、自発的かつ局所的に移動局１のＩＳＲを非活性化してもよい。
【００３６】
移動局１における局所的なＩＳＲ非活性化は、ＴＩＮ（Temporary Identity used in Next update）を "RAT-related TMSI" からＧＵＴＩ又はＰ−ＴＭＳＩに変更することによって達成される。ＴＩＮをＧＵＴＩとするかＰ−ＴＭＳＩとするかは、移動局１が選択しているＲＡＮに応じて決定される。具体的には、移動局１がＥ−ＵＴＡＮ２１を選択しているときは、ＩＳＲ非活性化のためにＴＩＮをＧＵＴＩにする。また、移動局１がＧＥＲＡＮ／ＵＴＲＡＮ２２を選択しているときは、ＩＳＲ非活性化のためにＴＩＮをＰ−ＴＭＳＩにする。
【００３７】
また、移動局１による自発的かつ局所的なＩＳＲ非活性化ではなく、音声サービス設定情報の更新時の移動局１におけるＩＳＲの非活性化は、ＭＭＥ３１又はＳＧＳＮ３２からの非活性化の指示に応じて行われてもよい。この例については、以下の実施の形態２において詳細に説明する。
【００３８】
移動局１による自発的かつ局所的なＩＳＲ非活性化によれば、ネットワーク側の移動管理ノード（又はエンティティ）、つまりＭＭＥ３１及びＳＧＳＮ３２、に新たな機能を追加することなく、音声サービス設定情報の不一致問題を解消できる利点がある。ＭＭＥ３１及びＳＧＳＮ３２は、現在の３ＧＰＰ仕様書に規定されている通常のＩＳＲ動作を行えばよいためである。これとは反対に、ＭＭＥ３１又はＳＧＳＮ３２からの非活性化の指示に応じて移動局１におけるＩＳＲ非活性化を行う場合は、移動局１に新たな機能を追加することなく、音声サービス設定情報の不一致問題を解消できる利点がある。移動局１は、現在の３ＧＰＰ仕様書に規定されている通常のＩＳＲ動作に従って自身のＩＳＲ状態を非活性化すればよいためである。
【００３９】
移動局１におけるＩＳＲ非活性化は、音声サービス設定情報の更新後に行われるＲＡＮの再選択の際に、ＭＭＥ３１及びＳＧＳＮ３２のうち移動先のＲＡＮに対応する一方との間での位置登録処理（i.e. ＴＡＵ又はＲＡＵ）をもたらす。ＩＳＲが非活性化されることで、移動局１は、位置登録処理の省略ができなくなり、再選択した移動先のＲＡＮに対応するＭＭＥ３１又はＳＧＳＮ３２との間で位置登録処理（i.e. ＴＡＵ又はＲＡＵ）を行わなければならないためである。
【００４０】
次に、移動局１におけるＩＳＲ非活性化によって、移動局１における音声サービス設定情報の更新内容がＭＭＥ３１及びＳＧＳＮ３２の間で同期される仕組みについて説明する。この同期は、以下の２つの例のいずれかによって達成することができる。
（例１）ＭＭＥ３１及びＳＧＳＮ３２の間でコンテキストを交換すること、又は
（例２）移動局１からＭＭＥ３１及びＳＧＳＮ３２の両方に音声サービス設定情報の更新を通知すること。
これら２つの例について順に説明する。
【００４１】
（例１）
例１は、移動局１がＩＳＲを実際に明示的に非活性化し、ＭＭＥ３１又はＳＧＳＮ３２に対してＩＳＲ非活性化を通知する場合に対応する。具体的に述べると、移動局１は、ＴＩＮを実際に"RAT-related TMSI"からＧＵＴＩ又はＰ−ＴＭＳＩに変更することによってＩＳＲを局所的に非活性化する。これにより、移動局１は、移動局１におけるＩＳＲ非活性化後に行われるＲＡＮ再選択において、再選択先（移動先）のＲＡＮに対応する移動管理ノード（e.g. ＭＭＥ３１）との間で位置登録処理を行う。この位置登録処理において、移動局１は、ＩＳＲ非活性化を示す位置登録リクエスト（e.g. ＴＡＵリクエスト）を送信する。ＩＳＲ非活性化は、例えば、ＴＡＵリクエスト及びＲＡＵリクエストに含まれている移動局１の一時識別子（ＴＭＳＩ）が、 "RAT-related TMSI" ではなくＧＵＴＩ又はＰ−ＴＭＳＩであることによって示される。移動局１においてＩＳＲが非活性化されていることを示す位置登録リクエストを受信した移動管理ノード（e.g. ＭＭＥ３１）は、ＩＳＲ非活性化時の通常の手順に従って、他方の移動管理ノード（e.g. ＳＧＳＮ３２）に移動局１に関するコンテキストを要求しこれを受信する。つまり、ＭＭＥ３１及びＳＧＳＮ３２の間で、音声サービス設定情報を含む移動局１に関するコンテキストが再同期される。
【００４２】
なお、既に述べた通り、上述のＲＡＮ再選択後の位置登録処理およびコンテキストの再同期に先立って、移動局１は、再選択前（移動元）のＲＡＮに対応する移動管理ノード（e.g. ＳＧＳＮ３２）との間で位置登録処理を行なっている。つまり、ＩＳＲが活性化されているときに音声サービス設定情報が移動局１において更新されると、移動局１は、現在選択しているＲＡＮに対応する移動管理ノード（e.g.ＳＧＳＮ３２）との間で位置登録処理を行う。これにより、音声サービス設定情報の更新が、当該移動管理ノード（e.g.ＳＧＳＮ３２）に通知される。
【００４３】
したがって、例１では、ＩＳＲ非活性化後の位置登録リクエストを契機として、予め一方の移動管理ノード（e.g.ＳＧＳＮ３２）に通知された更新後の音声サービス設定情報を含むコンテキストが、他方の移動管理ノード（e.g. ＭＭＥ３１）との間で再同期される。これにより、移動局１における音声サービス設定情報の更新内容がＭＭＥ３１及びＳＧＳＮ３２の間で同期される。
【００４４】
（例２）
例２は、移動局１が、ＭＭＥ３及びＳＧＳＮ３２に対してＩＳＲ非活性化の通知を行わない場合に対応する。言い換えると、移動局１は、ＩＳＲを暗示的に非活性化する。この場合、移動局１は、ＩＳＲの局所的な非活性化を明示的に行わなくてもよい。つまり、移動局１は、ＴＩＮの変更を行わなくてもよい。例２では、移動局１は、ＭＭＥ３１及びＳＧＳＮ３２の両方に音声サービス設定情報の更新を通知する。より具体的に述べると、移動局１は、音声サービス設定情報の更新を示す位置登録リクエストをＭＭＥ３１及びＳＧＳＮ３２の両方に送信すればよい。
【００４５】
既に述べた通り、ＩＳＲが活性化されているときに音声サービス設定情報が移動局１において更新されると、移動局１は、現在選択しているＲＡＮに対応する移動管理ノード（e.g.ＳＧＳＮ３２）との間で位置登録処理を行う。これにより、音声サービス設定情報の更新が、当該移動管理ノード（e.g.ＳＧＳＮ３２）に通知される。具体的に述べると、移動局１は、音声サービス設定情報の更新を示す位置登録リクエスト（e.g. ＲＡＵリクエスト）を送信する。これにより、現在選択しているＲＡＮに対応する移動管理ノード（e.g.ＳＧＳＮ３２）は、音声サービス設定情報の更新を認識することができる。
【００４６】
さらに、例２では、移動局１は、再選択先（移動先）のＲＡＮに対応する移動管理ノード（e.g. ＭＭＥ３１）に対しても、音声サービス設定情報の更新を示す位置登録リクエストを送信する。これにより、再選択先（移動先）のＲＡＮに対応する移動管理ノード（e.g. ＭＭＥ３１）も、音声サービス設定情報の更新を認識することができる。よって、移動局１における音声サービス設定情報の更新内容がＭＭＥ３１及びＳＧＳＮ３２の間で同期される。
【００４７】
例２で特筆すべきは、移動局１がＩＳＲの非活性化をネットワーク（ＭＭＥ３１及びＳＧＳＮ３２）に通知する必要が無い点である。さらに、ＭＭＥ３１及びＳＧＳＮ３２は、コンテキスト再同期のためのシグナリングを発生させることなく、移動局１における音声サービス設定情報の更新内容を互いに同期することができる。ただし、例１は、例２に比べて移動局１に対する仕様変更のインパクトが小さい利点がある。例２は、現在の３ＧＰＰ仕様書で規定されている移動局における局所的なＩＳＲの活性化／非活性化とは異なる動作を移動局１に要求するためである。
【００４８】
上述したように本実施の形態の移動局１は、ＩＳＲが活性化されているときに移動局１が保持している音声サービス設定情報が更新された場合、移動局１においてＩＳＲを非活性化するようした。このＩＳＲ非活性化によって、音声サービス設定情報の更新後に行われるＲＡＮの再選択の際に、移動局１と移動先のＲＡＮに対応する移動管理ノード（i.e. ＭＭＥ３１又はＳＧＳＮ３２）との間で位置登録処理が実施される。そして、この位置登録処理に基づいて、移動局１における音声サービス設定情報の更新内容がＭＭＥ３１及びＳＧＳＮ３２の間で同期される。上述の通り、更新された音声サービス設定情報のＭＭＥ３１及びＳＧＳＮ３２の間の同期は、移動局１と移動先の移動管理ノードとの間の位置登録処理を契機とするＭＭＥ３１及びＳＧＳＮ３２の間でのコンテキスト同期によって達成されてもよい。また、更新された音声サービス設定情報のＭＭＥ３１及びＳＧＳＮ３２の間の同期は、移動局１と移動先の移動管理ノードとの間の位置登録処理において、移動局１が音声サービス設定情報の更新を通知することによって達成されてもよい。
【００４９】
続いて以下では、本実施の形態に係る移動局１の構成例について説明する。また、以下では、移動局１にて更新された音声サービス設定情報がＭＭＥ３１及びＳＧＳＮ３２の間で同期されるまでの手順の一例について説明する。図２は、移動局１の構成例を示すブロック図である。なお、図２は、本実施の形態に係る位置登録処理、ＩＳＲ、及び音声サービス設定情報の更新に関係する主要な構成要素についてのみ示している。
【００５０】
図２の構成例は、無線通信部１０及び通信制御部１１を含む。無線通信部１０は、複数のＲＡＮ、ここではＥ−ＵＴＲＡＮ２１及びＧＥＲＡＮ／ＵＴＲＡＮ２２に接続することができる。無線通信部１０は、複数の物理ダウンリンクチャネルを含むダウンリンク信号をＥ−ＵＴＲＡＮ２１及びＧＥＲＡＮ／ＵＴＲＡＮ２２に含まれる基地局から受信する。また、無線通信部１０は、複数の物理アップリンクチャネルを含むアップリンク信号を基地局に送信する。
【００５１】
通信制御部１１は、無線通信部１０を介して、Ｅ−ＵＴＲＡＮ２１、ＧＥＲＡＮ／ＵＴＲＡＮ２２、及びコアネットワーク３との間でシグナリングを行い、制御データ及びユーザーデータの送受信のために無線通信部１０を制御する。また、通信制御部１１は、制御データ及びユーザーデータに関するデジタルベースバンド信号処理を担当する。デジタルベースバンド信号処理は、レイヤ２信号処理とレイヤ１（物理レイヤ）信号処理を含む。レイヤ２信号処理は、例えば、データ圧縮／復元、データのセグメンテーション／コンカテネーションを含む。物理レイヤ信号処理は、例えば、伝送路符号化／復号化（Channel Coding/Decoding）、変調／復調（Modulation/Demodulation）を含む。
【００５２】
図２の例では、通信制御部１１は、ＬＴＥ制御部１１１及び２Ｇ／３Ｇ制御部１１２を含む。ＬＴＥ制御部１１１は、ＬＴＥ、言い換えるとＥ−ＵＴＡＮ２１及びＥＰＣ（e.g. ＭＭＥ３１）に接続するための通信制御を行う。一方、２Ｇ／３Ｇ制御部１１２は、ＵＭＴＳ、言い換えるとＧＥＲＡＮ／ＵＴＲＡＮ２２及びＧＰＲＳパケットコア（e.g. ＳＧＳＮ３２）に接続するための通信制御を行う。
【００５３】
通信制御部１１による通信制御は、これまでに述べた位置登録処理、ＩＳＲに関する処理、及び音声サービス設定情報の更新を含む。つまり、通信制御部１１は、ＩＳＲが活性化されているときに移動局１が保持している音声サービス設定情報ＶＳＣが更新された場合、移動局１においてＩＳＲを非活性化する。
【００５４】
通信制御部１１の機能は、ASIC（Application Specific Integrated Circuit）、DSP（Digital Signal Processor）などを含む半導体処理装置を用いて実現されてもよい。また、通信制御部１１の機能は、マイクロプロセッサ等のコンピュータにプログラムを実行させることによって実現されてもよい。また、通信制御部１１の機能は、ASIC、DSP、及びマイクロプロセッサのうち任意の組み合わせにより実現されてもよい。例えば、デジタルベースバンド信号処理の少なくとも一部をDSPで行い、その他の処理（e.g. 位置登録処理、ＩＳＲに関する処理、及び音声サービス設定情報の更新）をマイクロプロセッサで行ってもよい。
【００５５】
上述の通り、通信制御部１１の機能の少なくとも一部は、マイクロプロセッサ等のコンピュータにプログラムを実行させることによって実現されてもよい。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５６】
図３は、移動局１にて更新された音声サービス設定情報ＶＳＣがＭＭＥ３１及びＳＧＳＮ３２の間で同期されるまでの手順の一例を示すシーケンス図である。図３の例は、移動局１が既にＭＭＥ３１及びＳＧＳＮ３２の両方に登録されており、ＩＳＲが活性化されている場合から開始される（ステップＳ１０１）。また、移動局１、ＭＭＥ３１、及びＳＧＳＮ３２は、移動管理に関するコンテキストの一部として同一内容の音声サービス設定情報ＶＳＣを保持している（ステップＳ１０２〜Ｓ１０５）。音声サービス設定情報ＶＳＣの値は"Ａ"とする。そして、アイドル状態の移動局１は、ＧＥＲＡＮ／ＵＴＲＡＮ２２を選択している（ステップＳ１０５）。
【００５７】
ステップＳ１０６では、例えばユーザの指示によって、移動局１が保持している音声サービス設定情報ＶＳＣが値"Ａ"から値"Ｂ"に更新される。ステップＳ１０７では、移動局１の通信制御部１１（i.e. ２Ｇ／３Ｇ制御部１１２）は、現在選択しているＧＥＲＡＮ／ＵＴＲＡＮ２２に対応するＳＧＳＮ３２に対して、ＲＡＵ リクエストを送信する。このＲＡＵ リクエストは、音声サービス設定情報ＶＳＣの更新通知を含む。ＲＡＵリクエストを受信したＳＧＳＮ３２は、移動局１に関して保持している音声サービス設定情報ＶＳＣを通知された値"Ｂ"により更新する（ステップＳ１０８）。ステップＳ１０９では、ＳＧＳＮ３２は、ＲＡＵアクセプトを移動局１に送信する。
【００５８】
ステップＳ１０９で送信されるＲＡＵアクセプトは、ＩＳＲ活性化か否かを示す。図３の例では、ステップＳ１０９におけるＲＡＵアクセプトはＩＳＲ活性化を示す。しかしながら、移動局１（i.e. 通信制御部１１）は、ＲＡＵアクセプトの指示に関わらず、ＲＡＵアクセプトがＩＳＲ活性化を示す場合であっても、移動局１において自発的にＩＳＲを非活性化する（ステップＳ１１０）。既に述べた通り、移動局１における自発的かつ局所的なＩＳＲの非活性化は、例えば、ＲＡＵアクセプトの指示に関わらずＴＩＮの値を"RAT-related TMSI"からＧＵＴＩに変更することで達成される。
【００５９】
なお、移動局１におけるＩＳＲ非活性化は、遅くとも音声サービス設定情報ＶＳＣの更新後に行われるＲＡＮ再選択のときまでに行われていればよい。例えば、通信制御部１１は、ステップＳ１０９におけるＲＡＵアクセプトの受信に応じて、ＲＡＵアクセプトの指示に関わらず移動局１においてＩＳＲを非活性化し、非活性化状態を次のＲＡＮ選択まで継続してもよい。また、通信制御部１１は、ステップＳ１０９におけるＲＡＵアクセプトの受信時にはＲＡＵアクセプトの指示に応じてＩＳＲ活性化状態を継続してもよい。この場合、通信制御部１１は、音声サービス情報の更新の発生を記憶しておき、将来のＲＡＮ再選択の際に移動局１におけるＩＳＲを非活性化してもよい。
【００６０】
ステップＳ１１１では、アイドル状態の移動局１（i.e. 通信制御部１１）は、ＧＥＲＡＮ／ＵＴＲＡＮ２２からＥ−ＵＴＲＡＮ２１への移動（i.e. セル再選択）を決定する。このセル再選択は、ＲＡＴ間（Ｉｎｔｅｒ−ＲＡＴ）セル再選択である。このとき、移動局１においてＩＳＲが非活性化されている。したがって、ステップＳ１１２において、移動局１の通信制御部１１（i.e. ＬＴＥ制御部１１１）は、移動先のＥ−ＴＲＡＮ２１に対応するＭＭＥ３１に対して、ＴＡＵ リクエストを送信する。このＴＡＵリクエストは、移動局１においてＩＳＲが非活性化されていることを示す。具体的には、ＴＡＵリクエストに含まれる移動局１の一時識別子が、"GUTI mapped from P-TMSI" にセットされている。
【００６１】
ＴＡＵリクエストが移動局１におけるＩＳＲ非活性化を示すため、ＭＭＥ３１は、ＩＳＲを再び開始するための手順をＳＧＳＮ３２との間で実施する（ステップＳ１１３、Ｓ１１４）。つまり、ＭＭＥ３１は、ＳＧＳＮ３２に対して移動局１に関するコンテキスト・リクエストを送信し、ＳＧＳＮ３２からコンテキスト・レスポンスを受信する。コンテキスト・レスポンスによって送信される移動局１に関するコンテキストは、更新された音声サービス設定情報ＶＳＣ（値 "Ｂ"）を含む。したがって、ＭＭＥ３１は、移動局１に関して保持している音声サービス設定情報ＶＳＣを通知された値"Ｂ"により更新する（ステップＳ１１５）。これにより、移動局１において更新された音声サービス設定情報ＶＳＣがＭＭＥ３１及びＳＧＳＮ３２の間で同期される。
【００６２】
図３は、ＧＥＲＡＮ／ＵＴＲＡＮ２２の選択中に移動局１において音声サービス設定情報ＶＳＣが更新され、その後に移動局１がＥ−ＵＴＲＡＮ２１を再選択する例を示した。これとは反対に、Ｅ−ＵＴＲＡＮ２１の選択中に移動局１において音声サービス設定情報ＶＳＣが更新され、その後に移動局１がＧＥＲＡＮ／ＵＴＲＡＮ２２を再選択する場合も、音声サービス設定情報ＶＳＣの同期は、図３と同様の手順で行うことができる。
【００６３】
（比較例）
ここで、図４を参照して比較例について説明する。図４は、ＩＳＲ活性化時の音声サービス設定情報の更新を契機として移動局１におけるＩＳＲを非活性化する動作が行われない場合について示している。図４では、本実施の形態との違いを明確にするため、移動局及びコアネットワークに関する符号を変更している。図４のステップＳ１０１〜Ｓ１０９における移動局９１（ＬＴＥ制御部９１１１および２Ｇ／３Ｇ制御部９１１２を含む）、及びコアネットワーク９３（ＭＭＥ９３１およびＳＧＳＮ９３２を含む）の動作は、図３に示したステップＳ１０１〜Ｓ１０９と同様である。
【００６４】
しかしながら、ステップＳ９１０では、移動局９１は、ステップＳ１０９のＲＡＵアクセプトの指示に従ってＩＳＲ活性化を維持する。つまり、ＴＩＮの値は、ＩＳＲ活性化に対応する "RAT-related TMSI" のまま維持される。したがって、ステップＳ１１１のＲＡＴ間セル再選択によってＥ−ＵＴＲＡＮ２１が選択されても、移動局９１においてＩＳＲが活性化されているためにＴＡＵリクエストの送信動作は開始されない（ステップＳ９１２）。これにより、ＭＭＥ３１及びＳＧＳＮ３２の間で音声サービス設定情報ＶＳＣの不一致が発生する。
【００６５】
ＭＭＥ３１及びＳＧＳＮ３２の間で音声サービス設定情報ＶＳＣの不一致が発生すると、例えば以下のような不具合が予想される。例えば、更新前の音声サービス設定情報ＶＳＣを持つ移動管理ノード（e.g. ＭＭＥ９３１）又はその指示を受ける基地局が、更新前の音声サービス設定情報ＶＳＣに基づいて、移動局９１に対してＲＡＮ（又はＲＡＴ）の優先度を指定する不具合が想定される。そうすると、移動局９１は、更新後の音声サービス設定情報ＶＳＣに適していないＲＡＮ（又はＲＡＴ）を要求される可能性がある。一例として、移動局９１がIMS Voice（Voice over IP）をサポートしているにも関わらず、Ｅ−ＵＴＲＡＮ２１ではなくＧＥＲＡＮ／ＵＴＲＡＮ２２を優先選択するよう指定されることが考えられる。この場合、移動局９１は、ＬＴＥ（Ｅ−ＵＴＲＡＮ２１及びＥＰＣ）による高速パケットサービスを利用できる機会が減少してしまう。
【００６６】
また、例えば、不一致が生じているＭＭＥ９３１及びＳＧＳＮ９３２が、Ｅ−ＵＴＲＡＮ２１及びＧＥＲＡＮ／ＵＴＲＡＮ２２に対して異なる優先度を指定する不具合が想定される。そうすると、移動局９１は、Ｅ−ＵＴＲＡＮ２１とＧＥＲＡＮ／ＵＴＲＡＮ２２の間で再選択を頻繁に繰り返す可能性がある。この場合、移動局９１は、バッテリーの消耗を早めてしまう。
【００６７】
これに対して、図１〜３を用いて説明した本実施の形態は、移動局１、並びに異なるＲＡＴに対応する複数の移動管理ノード（e.g. ＭＭＥ３１、ＳＧＳＮ３２）の間で音声サービス設定情報の不一致が生じることを防止できる。したがって、図４の比較例で想定されるような不具合についても防止することができる。
【００６８】
＜実施の形態２＞
上述した実施の形態１では、移動局１における音声サービス設定情報の更新に伴って移動局１においてＩＳＲを非活性化する手順の例を幾つか示した。本実施の形態では、これらのうちの１つについて詳細に説明する。具体的には、本実施の形態では、ＭＭＥ３１又はＳＧＳＮ３２からの非活性化の指示に応じて移動局１におけるＩＳＲ非活性化を行う例について説明する。なお、本実施の形態に係る移動通信システムの構成は、図１に示した構成例と同様とすればよい。
【００６９】
図５は、移動局１にて更新された音声サービス設定情報ＶＳＣがＭＭＥ３１及びＳＧＳＮ３２の間で同期されるまでの手順の一例を示すシーケンス図である。図５と図３の相違点は、ステップＳ２０９及びＳ２１０である。
【００７０】
図５の例では、音声サービス設定情報ＶＳＣの更新通知を含むＲＡＵリクエストを受信したＳＧＳＮ３２は、ＩＳＲを非活性化するべきであることを判定する。そして、ステップＳ２０９において、ＳＧＳＮ３２は、ＩＳＲ活性化の指示を含まない（言い換えるとＩＳＲ非活性化を示す）ＲＡＵアクセプトを移動局１に送信する。ステップＳ２１０では、移動局１は、ＲＡＵアクセプトに示されたＳＧＳＮ３２の指示に従って、移動局１においてＩＳＲを非活性化する。
【００７１】
なお、Ｅ−ＵＴＲＡＮ２１の選択中に移動局１において音声サービス設定情報ＶＳＣが更新され、その後に移動局１がＧＥＲＡＮ／ＵＴＲＡＮ２２を再選択する場合も、音声サービス設定情報ＶＳＣの同期は、図５と同様の手順で行うことができる。
【００７２】
図５に示した例によれば、移動局１に新たな機能を追加することなく、音声サービス設定情報の不一致問題を解消できる利点がある。移動局１は、現在の３ＧＰＰ仕様書に規定されている通常のＩＳＲ動作に従って自身のＩＳＲ状態を非活性化すればよいためである。
【００７３】
図６は、本実施の形態におけるＳＧＳＮ３２の構成例を示すブロック図である。なお、図６は、本実施の形態に係る位置登録処理、ＩＳＲ、及び音声サービス設定情報の更新に関係する主要な構成要素についてのみ示している。また、図示は省略するが、ＭＭＥ３１も、図６のＩＳＲ制御部３２１と同様のＩＳＲ制御部を有していればよい。
【００７４】
ＩＳＲ制御部３２１は、ＩＳＲの開始に必要なシグナリングを他のＲＡＴの移動管理ノード（e.g. ＭＭＥ３１）との間で行う。また、ＩＳＲ制御部３２１は、Ｓ−ＧＷ等の転送ノードとの間、及びＨＳＳ等の加入者情報サーバとの間でもＩＳＲの開始に必要なシグナリングを行う。
【００７５】
さらに、ＩＳＲ制御部３２１は、ＩＳＲが活性化されているときに、移動局１に保持されている音声サービス設定情報の更新を示す位置登録リクエスト（i.e. ＲＡＵリクエスト）を移動局１から受信したことに応じて、ＩＳＲの非活性化を示す位置登録応答（i.e. ＲＡＵアクセプト）を移動局１に送信する。
【００７６】
図７は、ＩＳＲ制御部３２１の動作の一例を示すフローチャートである。図７の手順は、ＩＳＲが活性化されているときに開始される（ステップＳ２１）。ステップＳ２２では、ＩＳＲ制御部３２１は、ＲＡＵリクエストの受信の有無を判定する。ＲＡＵリクエストを受信した場合、ＩＳＲ制御部３２１は、そのＲＡＵリクエストが音声サービス設定情報（ＶＳＣ）の更新を含むか否かを判定する（ステップＳ２３）。
【００７７】
ＲＡＵリクエストが音声サービス設定情報（ＶＳＣ）の更新を含まない場合、ＩＳＲ制御部３２１は、ＩＳＲの活性化を継続し、ＩＳＲ活性化を示すＲＡＵアクセプトを要求元の移動局１に返信する（ステップＳ２４及びＳ２５）。ＲＡＵリクエストが音声サービス設定情報（ＶＳＣ）の更新を含まない場合とは、例えば、受信したＲＡＵリクエストが通常の周期的なＲＡＵリクエストである場合である。
【００７８】
一方、ＲＡＵリクエストが音声サービス設定情報（ＶＳＣ）の更新を含む場合、ＩＳＲ制御部３２１は、ＩＳＲの非活性化を決定し、ＩＳＲ活性化を示していないＲＡＵアクセプトを要求元の移動局１に返信する（ステップＳ２６及びＳ２７）。
【００７９】
＜実施の形態３＞
実施の形態１では、移動局１における音声サービス設定情報の更新内容がＭＭＥ３１及びＳＧＳＮ３２の間で同期される仕組みについて、２つの例を詳細に説明した。このうちの例１については、実施の形態１の図３にシーケンスの具体例が示されている。本実施の形態では、このうちの例２に関するにシーケンスの具体例を説明する。なお、本実施の形態に係る移動通信システムの構成は、図１に示した構成例と同様とすればよい。
【００８０】
図８は、移動局１にて更新された音声サービス設定情報ＶＳＣがＭＭＥ３１及びＳＧＳＮ３２の間で同期されるまでの手順の一例を示すシーケンス図である。図８と図３の相違点は、ステップＳ３１０及びＳ３１２である。
【００８１】
図８の例は、移動局１が、ＭＭＥ３１及びＳＧＳＮ３２に対してＩＳＲ非活性化の通知を行わない場合に対応する。したがって、ステップＳ３１０では、移動局１は、ＩＳＲの局所的な非活性化を明示的に行わない。つまり、移動局１（i.e. 通信制御部１１）は、ＴＩＮの変更を行わずに、ＩＳＲ活性化に対応した"RAT-related TMSI"のまま維持する。これは、後のステップＳ３１２において、ＩＳＲ非活性化をＭＭＥ３１に通知しないようにするためである。
【００８２】
しかしながら、移動局１（i.e. 通信制御部１１）は、過去に（ステップＳ１０６にて）音声サービス設定情報ＶＳＣが更新されているが、これをＩＳＲに関係する他のＲＡＴ（i.e. ＭＭＥ３１）に対して未通知であることを記憶している。つまり、移動局１（i.e. 通信制御部１１）は、ネットワーク（i.e. ＭＭＥ３１及びＳＧＳＮ３２）への通知を伴う明示的なＩＳＲ非活性化は行わないものの、ネットワーク（i.e. ＭＭＥ３１及びＳＧＳＮ３２）への通知を伴わない暗示的なＩＳＲ非活性化を行なっている。このため、通信制御部１１（i.e. ＬＴＥ制御部１１１）は、ステップ３１２において、移動先のＥ−ＴＲＡＮ２１に対応するＭＭＥ３１に対して、ＴＡＵ リクエストを送信する。このＴＡＵリクエストは、ステップＳ１０７のＲＡＵリクエストと同様に、音声サービス設定情報ＶＳＣの更新通知を含む。
【００８３】
図８に示した例は、移動局１がＩＳＲの非活性化をネットワーク（ＭＭＥ３１及びＳＧＳＮ３２）に通知する必要が無い。さらに、図８の例では、ＭＭＥ３１及びＳＧＳＮ３２は、コンテキスト再同期のためのシグナリングを発生させることなく、移動局１における音声サービス設定情報の更新内容を互いに同期することができる。
【００８４】
＜その他の実施の形態＞
実施の形態１〜３は、３ＧＰＰのＵＭＴＳ及びＥＰＳ（Evolved Packet System）の統合システムに関して具体的に説明した。しかしながら、これらの実施の形態で説明した技術思想は、複数の異なるＲＡＮ／ＲＡＴを収容し、異種ＲＡＮ／ＲＡＴ間での再選択を許容し、この再選択の際の位置登録に伴うシグナリングを抑制するＩＳＲと同様の仕組みを有する移動通信システムにおいて一般的に適用することができる。例えば、実施の形態１〜３は、３ＧＰＰのＲＡＴと非３ＧＰＰのＲＡＴ（例えばWiMAX、IEEE 802.16m）とを収容する移動通胃システムにも適用できる。
【００８５】
また、実施の形態１〜３は、適宜組み合わせることも可能である。さらに、本発明は上述した実施の形態のみに限定されるものではなく、既に述べた本発明の要旨を逸脱しない範囲において種々の変更が可能であることは勿論である。
【符号の説明】
【００８６】
１  移動局
３  コアネットワーク
１０  無線通信部
１１  通信制御部
２１  Ｅ−ＵＴＲＡＮ（Evolved Universal Terrestrial Radio Access Network）
２２ ＧＥＲＡＮ（GSM EDGE Radio Access Network）／ＵＴＲＡＮ（Universal Terrestrial Radio Access Network）
３１  ＭＭＥ（Mobility Management Entity）
３２  ＳＧＳＮ（Serving GPRS Support Node）
１１１  ＬＴＥ（Long Term Evolution）制御部
１１２  ２Ｇ／３Ｇ制御部
３２１  ＩＳＲ（Idle mode Signalling Reduction）制御部
【図１】
0005387790.tif 000002
【図２】
0005387790.tif 000003
【図３】
0005387790.tif 000004
【図４】
0005387790.tif 000005
【図５】
0005387790.tif 000006
【図６】
0005387790.tif 000007
【図７】
0005387790.tif 000008
【図８】
0005387790.tif 000009